(57)【要約】【課題】継手管のテーパー面をフレアー部へ圧接することによりテーパー面（シール面）を拡張変位するようにしてシール面の傷に対する自然補修及びシール性を高め高品質の管継手シール機構を提供する。【解決手段】継手管（３）のテーパー面（３１）の付根部に、フレアー部（１１）への圧接によりシール面が拡張変位するようにスリット溝（３２）を形成するとともに、袋ナット（２）の内面のスリット溝（３２）に対向する部位にシールするようにシールパッキング（３３）を設ける。このシールパッキング（３３）を、フレアー部（１１）の至端部（１２）に弾接することが好ましい。継手管（３）のテーパー面（３１）を、フレアー部（１１）への圧接が端部側より行われるように袋ナット（２）のテーパー面（２１）に対して非平行となるように角度θがつけられる。【選択図】    図２
2004340347.tif 000002
【特許請求の範囲】
【請求項１】
配管（８）の継手管（３）と可撓管（１）の締結用袋ナット（２）とを螺合締結し、継手管（３）の外面のテーパー面（３１）と袋ナット（２）の内面のテーパー面（２１）との間に可撓管（１）の先端のラッパ状の広がりをもつフレアー部（１１）を挟圧することによりメタルタッチシールで接合するようにした管継手において、継手管（３）のテーパー面付根の胴部周面（３４）に、フレアー部（１１）への圧接によりシール面が拡張変位するようにスリット溝（３２）を形成してなることを特徴とする管継手シール機構。
【請求項２】
配管（８）の継手管（３）と可撓管（１）の締結用袋ナット（２）とを螺合締結し、継手管（３）の外面のテーパー面（３１）と袋ナット（２）の内面のテーパー面（２１）との間に可撓管（１）の先端のラッパ状の広がりをもつフレアー部（１１）を挟圧することによりメタルタッチシールで接合するようにした管継手において、継手管（３）のテーパー面付根の胴部周面（３４）に、フレアー部（１１）への圧接によりシール面が拡張変位するようにスリット溝（３２）を形成するとともに、袋ナット（２）の内面のスリット溝（３２）に対向する部位に、シールパッキング（３３）を設けてなることを特徴とする管継手シール機構。
【請求項３】
配管（８）の継手管（３）と可撓管（１）の締結用袋ナット（２）とを螺合締結し、継手管（３）の外面のテーパー面（３１）と袋ナット（２）の内面のテーパー面（２１）との間に可撓管（１）の先端のラッパ状の広がりをもつフレアー部（１１）を挟圧することによりメタルタッチシールで接合するようにした管継手において、継手管（３）のテーパー面付根の胴部周面（３４）に、フレアー部（１１）への圧接によりシール面が拡張変位するようにスリット溝（３２）を形成し、袋ナット（２）の内面のスリット溝（３２）対向する部位に、シールパッキング（３３）を設けるとともに、このシールパッキング（３３）と前記可撓管（１）のフレアー部（１１）の至端部（１２）とを弾接してなることを特徴とする管継手シール機構。
【請求項４】
継手管（３）のテーパー面（３１）に、フレアー部（１１）への圧接が端部側より行われるように袋ナット（２）のテーパー面（２１）に対して非平行となる角度θがつけられていることを特徴とする請求項１乃至３のいづれかに記載の管継手シール機構。
【発明の詳細な説明】
【０００１】
【発明の属する技術分野】
本発明は金属同志の面接触、謂ゆるメタルタッチシールにより高精度にシールするようにしたガス用管継手の改良されたシール機構に関するものである。
【０００２】
【従来の技術】
従来のガス用管継手のシール機構については図１に示すとおりのものである。この従来の構造図を図１を参照して説明する。
【０００３】
可撓管１は継手側の端部が先端に向ってラッパ状の広がりをもつフレアー部１１を備え、このフレアー部１１の外側には、該フレアー部の外面に一致するテーパー面２０を内面に具備する締結用袋ナット２が回動自在に係合されている。
【０００４】
上記袋ナット２には、先端部外周が前記フレアー部１１の内面に対応するテーパー面３１を備えた継手管３が雌雄ねじ２２、３６の螺合によって螺入されるとともに、該継手管３内にはガス器具のガス入口となる接続配管８が螺合されている。
【０００５】
このような従来の管継手では、継手管３を袋ナット２に螺合して締め付けると、継手管３のテーパー面３１が可撓管１のフレアー部１１に圧接されて、メタルタッチシールで気密性が確保される（例えば、特許文献１参照）。
【０００６】
また、フレアー部に接触するシート面を球面に形成したものもある（例えば、特許文献２参照）。さらに、フレアー部に沿って外周側へ延出し且つ変形可能な圧接部を螺入先端部に備えたフレアーナットを用いた構成も知られている（例えば、特許文献３参照）。
【０００７】
【特許文献１】
実用新案登録第３０７２２０３号公報（第２段落、第３段落及び図３）。
【特許文献２】
実開平３−１０７２８３号公報（図１）。
【特許文献３】
実開平３−２６８８９号公報（図１）。
【０００８】
【発明が解決しようとする課題】
上記した従来（特許文献１）の管継手においては、継手管の先端のテーパー面はシール性を高めるため高精度に仕上げられており、内部に組込まれるまでは露出していて傷が付き易く、少しでも傷がつくとガス漏れの原因となる（第１の課題）。
【０００９】
また、特許文献２、３においては、フレアー部への圧接位置を可変し、又はフレアーナットの圧接部を変形可能に形成してシール性保持を高めるべく意図したものが提案されているが、傷に対する対応は甚だ不充分であった（第２の課題）。
【００１０】
本発明は、継手管のテーパー面をフレアー部へ圧接することによりテーパー面（シール面）を拡張変位するようにしてシール面の傷に対する自然補修及びシール性を高め高品質の管継手シール機構を提供することを目的とする。
【００１１】
【課題を解決するための手段】
上記課題を解決するための本発明における第１の技術的手段は、配管８の継手管３と可撓管１の締結用袋ナット２とを螺合締結し、継手管３の外面のテーパー面３１と袋ナット２の内面のテーパー面２１との間に可撓管１の先端のラッパ状の広がりをもつフレアー部１１を挟圧することによりメタルタッチシールで接合するようにした管継手において、継手管３のテーパー面付根の胴部周面３４に、フレアー部１１への圧接によりシール面が拡張変位するようにスリット溝３２を形成してなることを特徴とする。
【００１２】
上記技術手段によれば、継手管の先端のテーパー面でフレアー部を押圧すると、スリット溝が押し潰されるように変形する力を受けてテーパー面が拡張変位する。この拡張変位によりシール面に多少の傷があってもこれらの傷は引き延ばされて平滑化する。
【００１３】
また、本発明の第２の技術手段は、配管８の継手管３と可撓管１の締結用袋ナット２とを螺合締結し、継手管３の外面のテーパー面３１と袋ナット２の内面のテーパー面２１との間に可撓管１の先端のラッパ状の広がりをもつフレアー部１１を挟圧することによりメタルタッチシールで接合するようにした管継手において、継手管３のテーパー面付根部の胴部周面３４に、フレアー部１１への圧接によりシール面が拡張変位するようにスリット溝３２を形成するとともに、袋ナット２の内面のスリット溝３２に対向する部位にシールパッキング３３を設けてなることを特徴とする。
【００１４】
斯る構成とすることにより、前記のテーパー面の拡張変位によるフレアー部のシール性確保に加えてシールパッキングにより袋ナットと管継手との接合部全体のシール性をさらに高めることができる。
【００１５】
また、本発明の第３の技術手段は、配管８の継手管３と可撓管１の締結用袋ナット２とを螺合締結し、継手管３の外面のテーパー面３１と袋ナット２の内面のテーパー面２１との間に可撓管１の先端のラッパ状の広がりをもつフレアー部１１を挟圧することによりメタルタッチシールで接合するようにした管継手において、継手管３のテーパー面付根の胴部周面３４に、フレアー部１１への圧接によりシール面が拡張変位するようにスリット溝３２を形成し、袋ナット２の内面のスリット溝３２対向する部位に、シールパッキング３３を設けるとともに、このシールパッキング３３と前記可撓管１のフレアー部１１の至端部１２とを弾接してなることを特徴とする。
【００１６】
上記構成により、袋ナットと管継手を強く締め付ければ締め付ける程、シールパッキングがフレアー部の至端部に突き刺さるように押圧変形して益々強力にシール性を高めることが可能となる。
【００１７】
さらに、本発明の第４の技術手段は、継手管３のテーパー面３１に、フレアー部１１への圧接が端部側より行われるように袋ナット２のテーパー面２１に対して非平行となる角度θがつけられていることを特徴とする。
【００１８】
上記構成により、テーパー面の拡張をより一層効果的に行うことができる。
【００１９】
【発明の実施の形態】
以下、添付図面を参照して本発明の好ましい実施例を説明する。図２乃至図６は本発明の一実施例を説明するための図であり、図２は本発明の管継手全体の縦断面図である。図３、図４及び図５は継手管とフレアー部との圧接部を示す拡大した断面図で、図３（イ）（ロ）は押圧による変形の前後の状態を示している。
【００２０】
先づ、図２について基本的な構造を説明する。
【００２１】
可撓管１は、金属製の蛇腹管１ａと、その外面にコーティングされた樹脂被膜１ｂを施したものからなり、継手により接続する側の一端は、ラッパ状の広がりをもつフレアー部１１となっている。このフレアー部１１を内包するように袋ナット２で係止する。袋ナット２の内周面には、前記フレアー部１１の外周面に係接するテーパー面２１が形成されている。又この袋ナット２には上記可撓管１の反対側から継手管３を螺入して締結するための雌ねじ２２が設けられている。
【００２２】
上記袋ナット２の雌ねじ２２に螺入する継手管３は、螺入方向の先端部外周に先細まりのテーパー面３１を具備しており、該テーパー面３１は可撓管１のフレアー部１１に圧接すると、その内面のテーパー面に気密状態で重なる形状を有している。そしてこのテーパー面３１の付根に続く胴部周面３４に、袋ナット２の雌ねじ２２と螺合する雄ねじ３６を設けている。さらにこの基端部３４にはテーパー面３１と雄ねじ３６の間に軸心と直交するようにスリット溝３２を設けている。このスリット溝３２は、テーパー面３１をフレアー部１１に圧接した際にテーパー面（シール面）３１が拡張変位するように変位量を吸収する作用をするものである。従ってこのスリット溝３２の位置はテーパー面３１の至近位置が好ましい。また、このスリット溝３２の巾と深さ、及び形等は圧接によるテーパー面の変位の具合いを考慮して計算により決定される。
【００２３】
前記袋ナット２の内面に周溝２４を設けるとともに、この周溝２４にシールパッキング３３を嵌設する。このシールシールパッキング３３の位置はスリット溝３２に対向した位置に設けることが好ましい。また、このシールパッキング３３と可撓管１のフレアー部１１の至端部１２とは至端部がシールパッキングに突き立つように弾接することが望ましい。
【００２４】
継手管３の後端部の開口には内周に雌ねじ３９が設けられ、これに配管８がねじ込まれるように接続される。
【００２５】
図３は継手管３のテーパー面３１を、フレアー部１１の内面のテーパー面と平行となるように形成した場合である。またスリット溝３２はテーパー面３１の付根に近い位置に軸芯と直交し且つスリット幅は一定幅に形成されている。
【００２６】
図４は、継手管３のテーパー面３１に、フレアー部１１の内面のテーパー面に対して非平行となるように角度θがつけられている。またスリット溝３２は奥に向う程溝幅が狭小となるように形成されている。
【００２７】
図５に示すように、シールパッキング３３は袋ナット２側の内面に形成した周溝２４に嵌められるとともに、このシールパッキング３３の内周は継手管３側の胴部外周面３４に嵌置される。胴部外周面に段部３５を形成し袋ナットの締結により段部３５でシールパッキング３３が圧縮作用を受けるようにする。
【００２８】
図６は、シールパッキング３３の位置をスリット溝より離れた後方位置に設けている。
【００２９】
【作用】
袋ナット２を継手管３の雄ねじ３６に螺合しスパナ等で締め付け、これにより可撓管１のフレアー部１１の内面に継手管３の先端部のテーパー面３１を圧接させる。このテーパー面３１の圧接によりテーパー面３１は円錐状の広がり方向に延伸する作用を受ける。従ってこのテーパー面３１は上記の作用を受けながらフレアー部１１の内面になじむようになり密着性能が上向する。テーパー面３１に凹凸や浅い傷等がある場合、これらの凹凸や傷は平滑化される。テーパー面３１の圧接によりスリット溝３２は図３（ロ）のように押し潰されて前記の変位量が吸収される。
【００３０】
図４に示すように、継手管３のテーパー面３１に角度θをつけると、圧接の進行に伴い、テーパー面３１をスリット溝に近い端部側より当接し順次先端部へ移行するように圧接していくので、テーパー面の拡張変位がし易くなって有効である。また、スリット溝３２を奥に向う程溝幅が狭小となるように形成するとより多くの変位量を吸収し変位量も多くできる。
【００３１】
図２に示すように、シールパッキング３３はスリット溝３２と対向する位置で且つフレアー部１１の至端部１２に弾接するように設けているため、可撓管１側のフレアー部１１とテーパー面２１、３１及び後方の雌雄ねじ部２２、３６間の前後両方を１つのシールパッキングで同時にシール性を高めている。
【００３２】
【発明の効果】
本発明は上記のように構成されているので、ガス漏れに対するシール性の効率を高めるとともに、シール面の拡張変位が有効に行われて傷に対する自然補修を可能にする。また、締め付けトルクも小さくて済む。
【図面の簡単な説明】
【図１】従来の管継手の縦断面図。
【図２】本発明による管継手の一例を示す縦断面図。
【図３】本発明による継手管とフレアー部との圧接部を示す拡大した断面図で、（イ）は圧接前、（ロ）は圧接後の状態を示す。
【図４】本発明の他の実施例で、継手管のテーパー面に角度をつけた状態を示している。
【図５】本発明のシール機構の要部を示した拡大断面図である。
【図６】本発明による管継手の実施例を示す縦断面図。
【符号の説明】
１        可撓管
２        袋ナット
３        継手管
８        配管
１１      フレアー部
１２      至端部
２１、３１  テーパー面
２４      周溝
３２      スリット溝
３３      シールパッキング
θ        角度
【図１】
2004340347.tif 000003
【図２】
2004340347.tif 000004
【図３】
2004340347.tif 000005
【図４】
2004340347.tif 000006
【図５】
2004340347.tif 000007
【図６】
2004340347.tif 000008